(57)【特許請求の範囲】
【請求項１】
電磁石部、該電磁石部によって電磁的に動作する接点機構部、複数の端子片を備えた本体部をベース上に配設しこれらの端子片が該ベースに形成された挿通孔より突出するようにして、上記本体部と上記ベースとをケースに収容して、該ベースの下方より端子片を突出させた構造とした電磁継電器であって、
上記電磁石部は、上下端に鍔部を備えたコイルボビンを有しており、
上記ケースの内壁には、上記ベースを位置決めするためのベース受け部が形成され、該ベース受け部よりも深い位置に、上記本体部を位置決めするための本体受け部が形成されており、
上記本体受け部は、上記ケースの内壁から突出した突片で構成され、上記コイルボビンのベース側の鍔部を支持する構成としたことを特徴とする電磁継電器。
【請求項２】
請求項１において、
上記本体受け部として、上記ケースの内底部に形成され、上記本体部の端部を支持する突部をさらに備えている電磁継電器。
【発明の詳細な説明】
【技術分野】
【０００１】
本発明は、本体部に組み込んだ端子片を直接ベースの下方より突出させた構造とした電磁継電器の改良に関するものである。
【背景技術】
【０００２】
図５は、従来のこの種の電磁継電器の組立て過程を説明するための分解斜視図である。
【０００３】
この電磁継電器１００は、電磁石部１０２、接点機構部（不図示）、端子片１０３を組み込んだ本体部１０１をベース１１０の上（図５では下）に装着してから、それらを一体としてケース１２０内に収容させて組立てされ、端子片１０３を、ベース１１０の下方（図５中では上方）より直接突出させた構造になっている。本体部１０１のベース１１０への装着は、電磁石部１０２より延びる複数の端子片１０３を、ベース１１０の挿通孔１１１に圧入、固定することで行われ、ケース１２０の内壁１２１には、ベース１１０の周縁部１１２を受ける段部１２２が周設されており、一体となった本体部１０１とベース１１０とを、段部１２２にベース１１０を受けるように収容して、ケース１２０内で位置決めしている。
【０００４】
このように従来の電磁継電器１００では、本体部１０１は、組立て工程および製品完成後において、ケース１２０内で、ベース１１０と嵌合され一体化された状態に支持されている。特許文献１には、端子片をベースの挿通孔に圧入固定して、本体部を支持した構造の電磁継電器が記載されている。
【特許文献１】特許第３６６０９６号公報
【発明の開示】
【発明が解決しようとする課題】
【０００５】
しかしながら、端子片をベースの挿通孔に圧入固定する電磁継電器では、圧入することによって端子片が傷ついたり破損したりすることがある。また、傷が付かなくても、圧入された状態では、端子片が挿通孔より圧力を受けることで応力を発生するため、電磁継電器の動作特性に影響を及ぼすおそれがある。
【０００６】
本発明は、このような問題を解決すべく提案されたもので、その目的は、組立て工程において、端子片をベースの挿通孔に圧入することなく本体部を支持でき、かつ、ケース内で、本体部とベースの位置が保持できる電磁継電器を提供することにある。
【課題を解決するための手段】
【０００７】
請求項１に記載の電磁継電器は、電磁石部、該電磁石部によって電磁的に動作する接点機構部、複数の端子片を備えた本体部をベース上に配設しこれらの端子片がベースに形成された挿通孔より突出するようにして、本体部とベースとをケースに収容して、ベースの下方より端子片を突出させた構造とした電磁継電器であって、電磁石部は、上下端に鍔部を備えたコイルボビンを有しており、ケースの内壁には、ベースを位置決めするためのベース受け部が形成され、該ベース受け部よりも深い位置に、本体部を位置決めするための本体受け部が形成されており、本体受け部は、ケースの内壁から突出した突片で構成され、コイルボビンのベース側の鍔部を支持する構成としたことを特徴とする。ここで、電磁継電器の上下関係は、端子片が下方に向いた場合を基準としている。
【０００９】
請求項２に記載の電磁継電器は、本体受け部として、ケースの内底部に形成され、本体部の端部を支持する突部をさらに備えている。
【発明の効果】
【００１０】
請求項１に記載の電磁継電器によれば、ケースの内壁には、ケース内で本体部を位置決めするための本体受け部と、ベースを位置決めするためのベース受け部とが形成されており、本体部とベースとがそれぞれ個別にケース内で収容位置が定まるため、ケースへの収容の際に、端子片をベースの挿通孔に圧入固定して一体化しておく必要がなく、圧入を要因とする端子片の損傷や動作特性の変化などの不具合が生じるおそれはない。
【００１１】
請求項２に記載の電磁継電器によれば、ケースの内壁に形成した突片でコイルボビンのベース側の鍔部を支持する構造であるため、本体部の接点機構部やコイル、継鉄、作動バネなどをケースに接触させることなく本体部をケース内で支持でき、そのため動作特性が変動することなく、品質の安定した製品を提供することができる。
【００１２】
請求項３に記載の電磁継電器によれば、上記突片に加え、ケースの内底部に形成され、本体部の端部を支持する突部をさらに備えているため、ケース内で本体部をより安定的に保持できる。
【発明を実施するための最良の形態】
【００１３】
以下に、本発明の実施の形態について、添付図面とともに説明する。
【００１４】
図１は、本発明の電磁継電器の内部構造を示す分解斜視図である。図２（ａ）はケースに本体部を取り付けた状態を示す斜視図、（ｂ）はさらにベースを取り付けた状態を示す斜視図である。なお、これらの図は、製品となった電磁継電器を基板上に実装する際の向き（端子がベースの下方に位置する向き）とは逆向きに示しているが、図示した向きで組み立てることが望ましい。
【００１５】
同電磁継電器１は、電磁石部Ａおよび電磁的に動作する接点機構部Ｂを備えた本体部１０と、本体部１０を組み付けるベース２０とを、開口３１を有した箱形のケース３０に収容して構成される。
【００１６】
電磁石部Ａは、上下端に鍔部１１ａ、１１ｂを有したコイルボビン１１、そのコイルボビン１１に巻装されたコイル１２、コイルボビン１１の貫通孔（不図示）に貫通された鉄心１３（図１、２には不図示、図３に図示）、およびコイルボビン１１の端部側で鉄心１３と連結された継鉄１４などより構成される。
【００１７】
コイルボビン１１は、上下に鍔部１１ａ、１１ｂを備えており、図１において上側に示すベース側の鍔部１１ａは、接点機構部Ｂを組み入れた構造とされ、６本の端子片１８がベース側に突出形成されている一方、下方側に示した鍔部１１ｂのさらに下方では、継鉄１４とコイルボビン１１に貫通された鉄心１３とが連結されている。
【００１８】
図例のものでは、端子片１８には、電磁石部Ａに接続された２本のコイル端子片１８ａと、接点機構部Ｂに接続されたコモン端子１８ｂ、ノーマリオープン端子１８ｃ、ノーマリクローズ端子１８ｄを含む４本の接点端子片とが含まれ、これらのうち、ノーマリクローズ端子１８ｄを除く５本の端子片１８ａ、１８ｂ、１８ｃは、コイルボビン１１のベース２０側の鍔部１１ａの上方に長く突出している。
【００１９】
接点機構部Ｂは、２つの固定接点１５（図１では一方のみ図示。後述する図３では他方を図示）の間に可動接点１６（図１、２には不図示、図３に図示）が配設されている。この可動接点１６を先端に有したＬ字状に形成された作動バネ片１７に連結された接極子１７ａの鉄心１３への吸着、復帰動作によって、可動接点１６は、２つの固定接点１５への接触動作を行う。なお本例では、可動接点１６が２つの固定接点１５に対し接触動作をなすｃ接点に適用したものを例示しているが、１つの固定接点に対し接離動作をなす常開型ａ接点、常閉型ｂ接点にも適用可能である。
【００２０】
またベース２０は、長方形の板状部２１に周壁２２を設けた形状とされ、板状部２１には、本体部１０より延びる６本の端子片１８ａ、１８ｂ、１８ｃ、１８ｄを挿通させる挿通孔２３が形成されている。この挿通孔２３は、６本の端子片１８ａ、１８ｂ、１８ｃ、１８ｄに対応して個別に開設されていてもよいが、近接した複数の端子片１８を１つの開口で対応させてもよい。また、挿通孔２３は、端子片１８を圧入することなく遊挿できる程度の大きさに開設されていることが望ましい。
【００２１】
一方、ケース３０は、開口３１を有した箱体に形成され、内壁３２には、全周にわたって段部がベース受け部３５として形成され、その段部より深い位置には、内底部３３より延びるリブ３４ａよりなる４本の突片が本体受け部３４として形成されている。これらのリブ３４ａは、２本が本体部１０を収容したときに接点機構部Ｂと向かい合う内壁３２に形成され、その内壁３２に隣接する両内壁３２にさらに１本ずつ形成されている。
【００２２】
本体部１０を、ケース３０内の本体受け部３４の位置に停止するまで収容させると、図２（ａ）のごとく複数の端子片１８ａ、１８ｂ、１８ｃがケース３０の開口３１より突き出た状態で保持される。さらにその上から、５本の端子片１８ａ、１８ｂ、１８ｃが挿通孔２３から突き出るようにベース２０を被せ、ケース３０内のベース受け部３５で規制される位置まで収容させると、図２（ｂ）に示した状態に保持される。なお、ノーマリクローズ端子片１８ｄは、対応する挿通孔２３よりわずかに突出した状態に保持される。
【００２３】
このように、本体部１０とベース２０とが、ケース３０内の個別の位置で位置決めされるので、本体部１０の端子片１８ａ、１８ｂ、１８ｃをベース２０に圧入、嵌着して本体部１０とベース２０とを一体として位置決めする必要はなく、そのためベース２０に端子片１８ａ、１８ｂ、１８ｃを遊挿できるような挿通孔２３を形成すれば、ベース２０をケース３０に収容する際には端子片１８ａ、１８ｂ、１８ｃに圧力がかからず、挿入による端子片１８ａ、１８ｂ、１８ｃの傷が生じにくく、また端子片１８ａ、１８ｂ、１８ｃには応力は発生せず、電磁継電器１の動作特性が変動するおそれもない。
【００２４】
ケース３０の内壁３２に設けた段部３５は、ベース２０がケース３０内で位置決めでき、その位置よりも落ち込まないように形成されていればよく、段部３５のベース２０を受ける面は、水平面、テーパ面のいずれでもよい。また、ベース受け部３５を複数のリブで構成してもよい。
【００２５】
図２（ｂ）のようにベース２０を装着した後は、ベース２０とケース３０との隙間や、挿通孔２３と端子片１８ａ、１８ｂ、１８ｃ、１８ｄと隙間を樹脂で封止、固着する。
【００２６】
図３は、ケース３０内の本体受け部３４、ベース受け部３５で支持される箇所を説明するための図で、（ａ）は本体部１０の被支持部を示す斜視図、（ｂ）はケース３０への本体部１０収容状態を示すケース３０の内底部３２側より開口側を見た横断面図、（ｃ）はベース２０の被支持部を示す斜視図である。
【００２７】
図３（ａ）に示すように、本体部１０は、コイルボビン１１の上下に設けた２つの鍔部１１ａ、１１ｂのうちのベース側の鍔部１１ａの巻装コイル１２に面した２点鎖線で示した位置（被支持部）１９ａで、４本のリブ３４ａによって支持される。なお、ケース３０に先に挿入する本体部１０の継鉄側の鍔部１１ｂは、リブ３４ａに当たって挿入が妨げられないように、被支持部１９ａに対応する箇所がカットされている（図３（ｂ）の符号Ｘ参照）。
【００２８】
また、本体部１１が図示した被支持部１９ａで支持されるためには、本体受け部３４を構成する突片３４ａは、内底部３２より延びる柱状のリブ３４ａでなくともよく、内壁３１の該当箇所を突出させたものでもよい。
【００２９】
なお、本体部１０の被支持部１９ａは、図例の箇所に限られず他の箇所でもよく、たとえば、ケース３０内の内隅部に段部を設けて、継鉄側の鍔部１１ｂの外周部を支持するようにしてもよい。
【００３０】
このように、本体部１０の鍔部１１ｂの上記位置をリブ３４ａで支持するようにしているため、本体部１０の接点機構部Ｂやコイル１２、継鉄１４、作動バネ１７などはケース３０に接触することはなく、そのため動作特性が変動することなく、品質の安定した製品を提供することができる。
【００３１】
一方、ベース２０は、図３（ｃ）に示すように、ベース２０の周壁２２の開口周端面２４がケース３０内の段部３５に当接して支持される。なお、安定して装着するためには、開口周端面２４が段部３５の面と面接触することが望ましいが、ベース２０がケース３０内で位置決めできる程度に支持されていればよい。
【００３２】
図４は、ケース３０内の本体受け部３４の他例を説明するための図で、（ａ）はケース３０の内部を示す断面斜視図、（ｂ）は本体部１０の斜視図である。なお以下では、図１〜３と同一の構成については同一の符号を付して説明は省略する。
【００３３】
本例では、本体受け部３４として、図４（ａ）に示すように、リブ３４ａの他に、ケースの内底部３３に複数のボス状の突部３４ｂが形成されている。これらの突部３４ｂでは、図４（ｂ）に示すように、継鉄１４と鉄心１３との結合部の周囲に位置する複数個所が被支持部１９ｂとして支持される。
【００３４】
内底部の突部は、環状あるいは台座状のものでもよいが、成形樹脂量を節約するために図例のようにボス状の小突起とすることが望ましい。また、リブ３４ａを設けることなく突部３４ｂのみで本体部１０を支持、位置決めしてもよいが、より安定的に支持するために組み合わせて使用することが望ましい。なお、リブ３４ａと内底部３３の突部３４ｂとで本体部１０を支持する構成とすれば、リブ３４ａ数を減らすことができ、それによって成形樹脂量を軽減することができる。
【図面の簡単な説明】
【００３５】
【図１】本発明の電磁継電器の内部構造を示す分解斜視図である。
【図２】（ａ）はケースに本体部を取り付けた状態を示す斜視図、（ｂ）はさらにベースを取り付けた状態を示す斜視図である。
【図３】（ａ）は本体部の被支持部を示す斜視図、（ｂ）はケースへの本体部の収容状態を示すケースの内底部側より開口側を見た横断面図、（ｃ）はベースの被支持部を示す斜視図である。
【図４】（ａ）はケースの内部を示す断面斜視図、（ｂ）は本体部の斜視図である。
【図５】従来の電磁継電器の組立て過程を説明するための分解斜視図である。
【符号の説明】
【００３６】
１      電磁継電器
１０      本体部
Ａ      電磁石部
Ｂ      接点機構部
１１      コイルボビン
１１ａ      ベース側の鍔部
１１ｂ      継鉄側の鍔部
１２      コイル
１３      鉄心
１４      継鉄
１５      固定接点
１６      可動接点
１７      作動バネ
１８、１８ａ、１８ｂ、１８ｃ、１８ｄ      端子片
１９ａ、１９ｂ      本体部の被支持部
２０      ベース
２１      板状部
２２      周壁
２３      挿通孔
２４      ベースの被支持部（開口周端面）
３０      ケース
３１      開口
３２      内壁
３３      内底部
３４、３４ａ、３４ｂ      本体受け部
３５      ベース受け部
【図１】
0004735635.tif 000002
【図２】
0004735635.tif 000003
【図３】
0004735635.tif 000004
【図４】
0004735635.tif 000005
【図５】
0004735635.tif 000006